(57)【特許請求の範囲】
【請求項１】
調理器本体をカウンタートップの取付穴に据え付けて固定する本体固定機構を備えたビルトイン型調理器において、
前記本体固定機構は、
調理器本体の側壁に設けられたレバー挿通用角穴と、
該側壁の内側でレバー挿通用角穴より下方位置に取り付けられ、立上り部と水平部を有し、該水平部にネジ穴が設けられた台座と、
中央部に長手方向に延びる長穴を有し、その一端側に折れ曲った係止部を有し、該一端側が前記レバー挿通用角穴の下方周縁部に支持され、他端側が台座の立上り部上端に支持される細長い固定レバーと、
該固定レバーの長穴を貫通し、先端側が台座のネジ穴に螺合させられる固定ネジと、
を備えたことを特徴とするビルトイン型調理器。
【請求項２】
前記台座の立上り部は、係止部のある一端側が上方となるように傾斜した前記固定レバーの他端側に対して略直角となるように傾斜していることを特徴とする請求項１記載のビルトイン型調理器。
【発明の詳細な説明】
【技術分野】
【０００１】
本発明はビルトイン型調理器、特に簡単な構成で、調理器本体をカウンタートップに固定させるようにしたビルトイン型調理器に関するものである。
【背景技術】
【０００２】
従来のビルトイン型調理器は、カウンタートップと、前記カウンタートップに設けた穴と、前記カウンタートップにフランジを係止させ、且つその下部を前記穴部に落とし込む調理器本体と、前記調理器本体側面に複数のスリット穴を設けた櫛形溝穴と、略長方形で片端近辺にビスの貫通穴を設けた固定板と、前記固定板とコイルバネとを固定ビスを介して、嵌合させるネジ部とを有し、前記固定板を前記櫛型溝穴に挿入、貫通させて前記固定ビスを締めることにより、前記調理器本体を前記カウンタートップと固着させたものである（例えば、特許文献１参照）。
【先行技術文献】
【特許文献】
【０００３】
【特許文献１】特許第３３３４３２２号公報（第１頁、図５）
【発明の概要】
【発明が解決しようとする課題】
【０００４】
従来のビルトイン型調理器では、カウンタートップに調理器本体のフランジを係止させ、且つ調理器本体の下部をカウンタートップの穴部に落とし込んだ状態で、調理器本体の側面又は背面に複数のスリット穴を設けた櫛形溝穴の近傍位置に設けられたネジ部に略長方形で片端近辺にビスの貫通穴を設けた固定板とコイルバネとを貫通している固定ビスを締めていくと、回転した固定板の先端が櫛形溝穴に挿入され、さらに固定ビスを締め続けると、固定板が櫛形溝穴の端面を支点にしてカウンタートップに固定され、調理器本体をカウンタートップに固着されるが、固定ビスを締めて固定板を櫛形溝穴の所望のスリット穴に挿入させるためには固定板をコイルバネで上方に付勢しておかなればならず、コイルバネが必要でその分コスト高となるという問題があった。
また、固定板が櫛形溝穴に挿入するときに回転するために調理器本体内の横方向のスペースが必要であるため、調理器本体の背面に固定板を設ける場合には調理器本体の背面に冷却風の吸排気口やグリルの排気口を設けるのに制約を受けるという問題があった。
本発明はかかる問題点を解決するためになされたもので、調理器本体をカウンタートップに固定させるのに簡単な構成で作業が容易であり、しかも調理器本体内の横方向のスペースを小さくすることができるビルトイン型調理器を得ることを目的とする。
【課題を解決するための手段】
【０００５】
本発明のビルトイン型調理器は、調理器本体をカウンタートップの取付穴に据え付けて固定する本体固定機構を備えたビルトイン型調理器において、前記本体固定機構は、調理器本体の側壁に設けられたレバー挿通用角穴と、該側面壁の内側でレバー挿通用角穴より下方位置に取り付けられ、立上り部と水平部を有し、該水平部にネジ穴が設けられた台座と、中央部に長手方向に延びる長穴を有し、その一端側に折れ曲った係止部を有し、該一端側が前記レバー挿通用角穴の下方周縁部に支持され、他端側が台座の立上り部上端に支持される細長い固定レバーと、該固定レバーの長穴を貫通し、先端側が台座のネジ穴に螺合させられる固定ネジとを備えて構成されている。
【発明の効果】
【０００６】
本発明のビルトイン型調理器においては、調理器本体をカウンタートップの取付穴に据え付けて固定する本体固定機構は、調理器本体の側壁に設けられたレバー挿通用角穴と、該側面壁の内側でレバー挿通用角穴より下方位置に取り付けられ、立上り部と水平部を有し、該水平部にネジ穴が設けられた台座と、中央部に長手方向に延びる長穴を有し、その一端側に折れ曲った係止部を有し、該一端側が前記レバー挿通用角穴の下方周縁部に支持され、他端側が台座の立上り部上端に支持される細長い固定レバーと、該固定レバーの長穴を貫通し、先端側が台座のネジ穴に螺合させられる固定ネジとを備え、固定レバーは係止部を有する一端側がレバー挿通用角穴の下方周縁部に支持され、他端側が台座の立上り部上端に支持されるので、固定レバーを昇降させるコイルバネが不要となり、その固定レバーはレバー挿通用角穴内を調理器本体の側壁に対して垂直方向にしか移動しないので、調理器本体内部の横方向スペースを小さくすることができるという効果がある。
また、固定レバーの係止部を側壁に係止させておけば、係止部は側壁の外側に張り出していないため、調理器本体をカウンタートップの取付穴に落とし込んでも、固定レバーが邪魔にならずスムーズに落とし込むことができる。
さらに、固定ネジを緩めて固定レバーの締め付けを解除し、固定レバーを移動させて係止部を側壁の外側に張り出させ、固定レバーの係止部と反対側端部が台座の立上り部から外れたときに固定ネジを締め付けると、その頭部が固定レバーの係止部とは反対側端部を押し下げ、レバー挿通用角穴の下方周縁部を支点として固定レバーの係止部が上方に上がってカウンタートップの取付穴の縁部に押当し、固定レバーにより調理器本体をカウンタートップに固定できるため、固定ネジの螺回と固定レバーの押し込みという簡単な作業で調理器本体をカウンタートップに固定することができるという効果がある。
【図面の簡単な説明】
【０００７】
【図１】本発明の実施の形態１のビルトイン型調理器をカウンタートップに据付ける前の状態の斜視図。
【図２】同ビルトイン型調理器をカウンタートップに据え付けた状態の縦断面図。
【図３】同ビルトイン型調理器の本体固定機構の固定レバーが本体内部にある状態の斜視図。
【図４】同ビルトイン型調理器の本体固定機構の固定レバーが本体内部にある状態の断面図。
【図５】同ビルトイン型調理器の本体固定機構の固定レバーが本体外部に突き出した状態の斜視図。
【図６】同ビルトイン型調理器の本体固定機構の固定レバーが本体外部に突き出した状態の断面図。
【図７】同ビルトイン型調理器の本体固定機構の固定レバーがカウンタートップに固定された状態の断面図。
【図８】本発明の実施の形態２のビルトイン型調理器の本体固定機構の固定レバーがカウンタートップに固定された状態の断面図。
【発明を実施するための形態】
【０００８】
実施の形態１．
図１は本発明の実施の形態１のビルトイン型調理器をカウンタートップに据付ける前の状態の斜視図、図２は同ビルトイン型調理器をカウンタートップに据え付けた状態の縦断面図、図３は同ビルトイン型調理器の本体固定機構の固定レバーが本体内部にある状態の斜視図、図４は同ビルトイン型調理器の本体固定機構の固定レバーが本体内部にある状態の断面図、図５は同ビルトイン型調理器の本体固定機構の固定レバーが本体外部に突き出された状態の斜視図、図６は同ビルトイン型調理器の本体固定機構の固定レバーが本体外部に突き出された状態の断面図、図７は同ビルトイン型調理器を本体固定機構によりカウンタートップに固定した状態の断面図である。
図１に示すように、本発明の実施の形態１の加熱調理器は、略矩形の調理器本体１の上部に天板部２が設けられている。
天板部２はトッププレート枠３と、トッププレート枠３の開口部に取り付けられるトッププレート４とで構成されている。
トッププレート４の上面には、左右の加熱コイル７，中央加熱源（図示省略）のおおまかな位置を示す円形の案内マーク５Ｍ１、５Ｍ２、６Ｍが、それぞれ印刷等の方法で表示されている。
【０００９】
調理器本体１内には、誘導式加熱源である前方左右の加熱コイル７と，電気輻射熱で加熱する後方中央加熱源であるラジエントヒータ（図示省略）等が設けられている。
また、調理器本体１の前方中央にはグリル加熱室８が設けられている。そのグリル加熱室８の前面開口はグリル扉９によって開閉自在に覆われ、グリル扉９は前後方向に移動自在になるようにグリル加熱室８の支持機構によって保持されている。グリル扉９の開閉操作は前方に突出した取っ手９ａによって行うことができる。
調理器本体１の右側前面に前面操作部１１が設けられ、トッププレート４の前面側に上面操作部１２が設けられている。
図１に示すように、カウンタートップ１５には調理器本体１を据え付けるための取付穴１５ａが設けられている。
【００１０】
図１に示すように、調理器本体１はカウンタートップ１５の取付穴１５ａに据え付けられている。
その調理器本体１内の後部には吸気ダクト２０が設けられ、その吸気ダクト２０の吸気側はトッププレート枠の後部に形成された吸気口３ａに連通し、排出側は調理器本体１内の中央部に設けられた送風ダクト２１の一端側と連通させられている。その吸気ダクト２０内で排出側の近くに冷却ファン２２が配置させられている。
また、送風ダクト２１内には、電子部品２３を搭載した回路基板２４が上下方向に２段設置されている。その送風ダクト２０内の他端側である排出側は調理器本体１内の前方に向けて開放されている。
【００１１】
調理器本体１で吸気ダクト２０と送風ダクト２１の上方に金属製の水平仕切板２５が設けられ、その水平仕切板２５の下方に送風ダクト２１の排出側と連通するコイル用冷却風路２６が形成されている。
その水平仕切板２５における加熱コイル７の下方位置に開口部２５ａが形成され、その開口部２５ａに複数の気孔２７ａを有する金属製の噴流板２７が取り付けられている。
【００１２】
図２に示すように、左右の各加熱コイル７は、ドーナツ状の内加熱コイル７ａと外加熱コイル７ｂとで構成されている。
その加熱コイル７はコイルベース３０上に設置されている。そのコイルベース３０はその筒状の脚部３０ａがトッププレート４の裏面側で、調理器本体１内の水平仕切板２５に取り付けられたコイルベース支持部材２８の突出部２８ａに嵌合支持されている。そのコイルベース３０は中央部分に中央開口３０ｂを有している。
コイルベース３０上に設置されている加熱コイル７の内加熱コイル７ａと外加熱コイル７ｂとの間に、温度センサー３２を保持した円筒状の合成樹脂製のセンサーホルダー３３が貫通するホルダー用開口部３０ｃが設けられている。
また、噴流板２７には、ホルダー用開口部３０ｃの直下位置にセンサーホルダー３３の下端が挿着される円筒状のホルダー受け部２７ｂが突設されている。
【００１３】
本発明の実施の形態１のビルトイン型調理器の本体固定機構５０について図２〜図７に基づいて説明する。
調理器本体１の側壁の１つである背面壁１ａの上方寄りにレバー挿通用角穴５１を設け、その背面壁１ａの内側でレバー挿通用角穴５１より下方位置に断面Ｌ字状の金属製の台座５２を溶接により取り付けている。その台座５２は水平部５２ａと水平部５２ａの一端側から垂直に立ち上がる立上り部５２ｂを有し、その水平部５２ａにネジ穴５２ｃが設けられている。
細長い長方形の金属製の固定レバー５３はその中央部に長手方向に延びる長穴５３ａを有し、その一端側に折れ曲った係止部５３ｂを有している。
その固定レバー５３の長穴５３ａを貫通したネジ５４の先端側は調理器本体１の背面壁１ａに取り付けられた台座５２の水平部５２ａのネジ穴５２ｃに螺合させられている。
【００１４】
次に、調理器本体１をカウンタートップ１５の取付穴１５ａに据え付けて固定する場合について図３〜図７に基づいて説明する。
図３及び図４に示すように、本体固定機構５０の固定レバー５３の長穴５３ａ内で係止部５３ｂ寄りに位置する固定ネジ５４は、台座５２の水平部５２ａのネジ穴５２ｃに螺合しており、背面壁１ａのレバー挿通用角穴５１を挿通している固定レバー５３の係止部５３ｃは背面壁１ａに係止されて外側に張り出しておらず、固定レバー５３の係止部５３ｂとは反対側の端部が背面壁１ａの内側に張り出しており、固定ネジ５４を緩めれば、固定レバー５３は背面壁１ａに対して垂直方向にしか移動しないので、調理器本体１内の横方向スペースは小さく、調理器本体１の背面側に冷却風の吸排気口やグリルの排気口を設けるのに余り制約を受けることはない。
また、固定レバー５３は固定ネジ５４により下方に押圧されて台座５２の立上り部５２ｂの上端とレバー挿通用角穴５１の下方周縁部に支持固定されているため。固定レバー５３を昇降させるコイルバネが不要となる。
【００１５】
調理器本体１をカウンタートップ１５の取付穴１５ａに据え付けるために、調理器本体１をカウンタートップ１５の取付穴１５ａに落とし込んでも、固定レバー５３の係止部５３ｂは背面壁１ａに係止されて背面壁１ａの外側に張り出していないため、固定レバー５３が邪魔にならずスムーズに落とし込むことができ、調理器本体１のフランジ１ｂがカウンタートップ１５の取付穴１５ａの周縁部に支持されて調理器本体１の落とし込みが完了する。
次に、固定ネジ５４を緩めるように回すと、固定ネジ５４による固定レバー５３の締め付けが解除され、固定レバー５３はレバー挿通用角穴５１内を移動可能となる。
そこで、固定レバー５３を右側に移動させると、図５、図６に示すように固定ネジ５４が長穴５３ａ内を右側から左側に移動し、固定レバー５３の係止部５３ｂが背面壁１ａの外側に精一杯張り出させられる。そうすると、固定レバー５３の係止部５３ｂとは反対側の端部が台座５２の立上り部５２ｂの上端から外れ、上下にフリーな状態になる。
【００１６】
このように、固定レバー５３が図５及び図６に示す状態になったところで、固定ネジ５４を締め付けるように回すと、固定ネジ５４の先端が台座５２のネジ穴５２ｃから下方に螺進し、固定ネジ５４の頭部が固定レバー５３の係止部５３ｂとは反対側の端部を押し下げ、レバー挿通用角穴５１の下方周縁部を支点として固定レバー５３の係止部５３ｂが上方に上がり、図７に示すように、固定レバー５３の係止部５３ｂがカウンタートップ１５の取付穴１５ａの縁部に押当し、固定レバー５３により調理器本体１をカウンタートップ１５に固定することとなる。
【００１７】
この実施の形態１では、調理器本体１をカウンタートップ１５の取付穴１５ａに据え付けて固定する本体固定機構５０は、調理器本体１の背面壁１ａに設けられたレバー挿通用角穴５１と、その背面壁１ａの内側でレバー挿通用角穴５１より下方位置に取り付けられ、水平部５２ａにネジ穴５２ｃが設けられた台座５２と、中央部に長手方向に延びる長穴５３ａを有し、その一端側に折れ曲った係止部５３ｂを有し、一端側がレバー挿通用角穴５１の下方周縁部に支持され、他端側が台座５２の立上り部５２ｂの上端に支持される細長い固定レバー５３と、固定レバー５３の長穴５３ａを貫通し、先端側が台座５２のネジ穴５２ｃに螺合させられる固定ネジ５４とを備え、固定レバー５３は係止部５３ｂを有する一端側がレバー挿通用角穴５１の下方周縁部に支持され、他端側が台座５２の立上り部５２ｂの上端に支持されているので、固定レバー５３を昇降させるコイルバネが不要となり、調理器本体１をカウンタートップ１５の取付穴１５ａに据え付ける前には、レバー挿通用角穴５１に挿通させられている細長い固定レバー５３の折れ曲った係止部５３ｂを背面壁１ａの外側に係止させておけば、固定レバー５３の係止部５３ｂは背面壁１ａの外側に張り出していないため、調理器本体１をカウンタートップ１５に据え付けるために、調理器本体１をカウンタートップ１５の取付穴１５ａに落とし込んでも、固定レバー５３が邪魔にならずスムーズに落とし込むことができる。
【００１８】
また、調理器本体１をカウンタートップ１５の取付穴１５ａに据え付けて固定する場合には、固定ネジ５４を緩めるように回して固定ネジ５４による固定レバー５３の締め付けを解除し、固定レバー５３を右側に移動させて係止部５３ｂが背面壁１ａの外側に精一杯張り出させ、固定レバー５３の係止部５３ｂとは反対側の端部が台座５２の立上り部５２ｂの上端から外れて上下にフリーな状態になったときに固定ネジ５４を締め付けるように回すと、固定ネジ５４の頭部が固定レバー５３の係止部５３ｂとは反対側の端部を押し下げ、レバー挿通用角穴５１の下方周縁部を支点として固定レバー５３の係止部５３ｂが上方に上がってカウンタートップ１５の取付穴１５ａの縁部に押当し、固定レバー５３により調理器本体１をカウンタートップ１５に固定できるため、固定ネジ５４の螺回と固定レバー５３の押し込みという簡単な作業で調理器本体１をカウンタートップ１５に固定することができる。
【００１９】
実施の形態２．
図８は本発明の実施の形態２のビルトイン型調理器を本体固定機構によりカウンタートップに固定した状態の断面図である。
この実施の形態２において上記実施の形態１と同様の構成は、同一符号を付して重複した構成の説明を省略する。
この実施の形態２の本体固定機構６０は台座６２の構成が実施の形態１と異なるものである。
この実施の形態２の本体固定機構６０の台座６２はネジ穴６２ｃを有する水平部６２ａと、水平部６２ａに対して滑落防止するため傾斜して立ち上がる立上り部６２ｂとを有して構成されている。
この実施の形態２では、本体固定機構６０の台座６２の滑落を防止するために傾斜して立ち上がる立上り部６２ｂは係止部５３ｂのある一端側が上方となるように傾斜した固定レバー５３の他端側に対して略直角となるように傾斜している。
【００２０】
従って、固定ネジ５４を締め付けるように回すと、固定ネジ５４の頭部が固定レバー５３の係止部５３ｂとは反対側の端部を押し下げ、その端部が台座６２の傾斜した立上り部６２ｂに当接した場合に、台座６２の傾斜した立上り部６２ｂは係止部５３ｂのある一端側が上方となるように傾斜した固定レバー５３の他端側に対して略直角となるので、傾斜した固定レバー５３の他端側が立上り部６２ｂを滑り落ちないため、固定ネジ５４を徐々に締め付けて固定レバー５３の係止部５３ｂをカウンタートップ１５の取付穴１５ａの縁部に押当させることができ、固定ネジ５４の締め付け作業がし易くなっている。
【００２１】
上記実施の形態１、２では本体固定機構５０，６０を側壁の１つである背面壁１ａに設けているが、側壁の１つである側面壁に設けてもよい。
また、上記実施の形態１、２は電磁加熱調理器であるが、前方中央にグリル加熱室を備え、上部に複数の加熱源を設けた加熱調理器或いはグリル加熱室だけを備えた加熱調理器についても、本発明が適用されることはいうまでもない。
【符号の説明】
【００２２】
１  調理器本体、１ａ  背面壁、１ｂ  フランジ、２  天板部、３  トッププレート枠、４  トッププレート、７  加熱コイル、８  グリル加熱室、９  グリル扉、１１  前面操作部、１２  上面操作部、１５  カウンタートップ、１５ａ  取付穴、５０  本体固定機構、５１  レバー挿通用角穴、５２  台座、５２ａ  水平部、５２ｂ  立上り部、５２ｃ  ネジ穴、５３  固定レバー、５３ａ  長穴、５３ｂ  係止部、５４  固定ネジ。
【図１】
0005388797.tif 000002
【図２】
0005388797.tif 000003
【図３】
0005388797.tif 000004
【図４】
0005388797.tif 000005
【図５】
0005388797.tif 000006
【図６】
0005388797.tif 000007
【図７】
0005388797.tif 000008
【図８】
0005388797.tif 000009